(57)【特許請求の範囲】
【請求項１】
表示板に時計用植え物を固定する構造において、前記表示板には、貫通する窓孔を有しており、前記時計用植え物は、金属よりなる窓枠からなり、該窓枠は前記窓孔の内形と略同形状の固定足を有し、且つ、略中央部に少なくとも一対の突起を有しており、前記窓孔と、前記突起を含む前記固定足外径とのはめあい率（圧入率）が１０１％から１０５％の範囲であり、前記表示板の窓孔内に前記窓枠を挿入することにより、前記窓孔内の側壁に前記窓枠の突起を喰い付き固定させたことを特徴とする時計用植え物の固定構造。
【請求項２】
表示板に時計用植え物を固定する構造において、前記表示板には、貫通する複数の足孔を有しており、前記時計用植え物は、金属よりなる植字からなり、該植字は前記足孔の内形と略同形状の固定足を有し、且つ、略中央部に突起を有しており、前記足孔の孔径と、前記突起を含む前記固定足外径とのはめあい率（圧入率）が１０１％から１０５％の範囲であり、前記表示板の足孔内に前記植字を挿入することにより、
前記足孔内の側壁に前記植字の突起を喰い付き固定させたことを特徴とする時計用植え物の固定構造。
【請求項３】
前記植字は、５分間隔で取付けられている時字、または社名、商品名等を表すマークであることを特徴とする請求項２記載の時計用植え物の固定構造。
【請求項４】
前記窓枠は、上方の外周に鍔部を有し、該鍔部の外形より前記固定足の突起外形が小さいことを特徴とする請求項１記載の時計用植え物の固定構造。
【請求項５】
前記表示板は、プラスチックからなることを特徴とする請求項１または請求項２記載の時計用植え物の固定構造。
【発明の詳細な説明】
【０００１】
【発明の属する技術分野】
本発明は、時計用表示板に使用される窓枠、時字、マーク等の時計用植え物の固定構造に関するものである。
【０００２】
【従来の技術】
窓枠、時字、マーク等の時計用植え物を時計用表示板に固定する一般的な方法の例として、前記表示板に植え物を固定するための孔を設け、前記孔に植え物を嵌合させ固定する方法が知られているが、従来技術における時計用窓枠の固定構造としては、次のような技術が開示されている。
【０００３】
第１の従来技術の例として、圧入固定による時計用窓枠の固定構造を図９に示す。図９（ａ）は、時計用窓枠の固定構造を示す平面図、図９（ｂ）は、固定構造を示す部分断面図である。この固定構造における表示板と窓枠との固定方法は、表示板１に設ける窓孔４と窓枠２に適当な締め代を持たせ、前記窓孔４に窓枠２を圧入し、更に、Ａで示される部分から接着剤を塗布固着させたものである。
【０００４】
第２の従来技術の例として、かしめ固定による時計用窓枠の固定構造を図１０に示す。図１０（ａ）は、かしめ固定する前の状態を示す部分断面図、図１０（ｂ）は、かしめ固定後の構造を示す部分断面図である。この固定構造における表示板と窓枠との固定方法は、図１０（ａ）に示すように表示板１に設ける窓孔４に、この窓孔４の大きさに合わせた形状の窓枠３を挿入する。その後、窓枠３の下面外周に設ける突起３ａ、３ｂをパンチ６によって圧縮変形させ、図１０（ｂ）に示すように、かしめ部３ｃ、３ｄを形成し、かしめ固定させたものである。更に、Ａで示される部分から接着剤を塗布し補強する場合もある。
【０００５】
第３の従来技術の例として、弾性部材からなる窓枠を使用した時計用窓枠の固定構造を図１１に示す。図１１は、固定構造を示す部分断面図である。この固定構造における表示板と窓枠の固定方法は、弾性部材からなる窓枠５を弾性変形させることにより表示板１の窓孔４に挿入し、変形後の復元力によって前記窓枠５の下面外周部に設ける突起部５ａ、５ｂが表示板１に抱合し、窓枠５を表示板１に固定するものである。この従来技術については、公開実用新案公報（実開昭５２−８４２４６号公報）に開示されている。
【０００６】
【発明が解決しようとする課題】
しかしながら、第１の従来技術の例においては、表示板１の窓孔４と、これに対応する窓枠２の圧入部との寸法のバラツキ、及び接着剤塗布の多少により窓枠２が表示板から外れるという問題があった。また、接着剤を使用するために組立上の作業能率が悪い。更に、接着剤の劣化等により落下衝撃により窓枠が表示板から外れるという問題があった。
【０００７】
また、第２の従来技術の例においては、かしめ固定の作業工程が増加することによるコスト上の問題があった。また、かしめ固定の作業においては、表示板や、窓枠等を変形させたり、傷つけたりしないよう細心の注意が必要であり、作業性に問題があった。特に、材質がプラスチック材からなる表示板においては、窓枠周辺部に歪みが発生し表示板の外観不良となることがあった。更に、表示板の下面にかしめ部が形成されることによって、表示板の厚さが厚くなり、その結果、時計の総厚が厚くなるという問題があった。
【０００８】
また、第３の従来技術の例においては、窓枠が弾性部材からなるために、窓枠として使用できるの材料が制限される。また、表示板の下面に突起部が形成され、表示板の厚さが厚くなり、その結果、時計の総厚が厚くなるという問題があった。
【０００９】
本発明の目的は、上記従来の問題点を解決し、落下衝撃等による窓枠の外れを防止し、表示板への植え物（窓枠、時字、マーク等）の固定を容易にすることで作業性を向上させ、併せて表示板の厚さを薄くできる時計用植え物の固定構造を提供するものである。
【００１０】
【課題を解決するための手段】
前述した目的を達成するために、本発明のうちで請求項１の発明に係わる時計用植え物の固定構造は、表示板に時計用植え物を固定する構造において、前記表示板には、貫通する窓孔を有しており、前記時計用植え物は、金属よりなる窓枠からなり、該窓枠は前記窓孔の内形と略同形状の固定足を有し、且つ、略中央部に少なくとも一対の突起を有しており、前記表示板の窓孔内に前記窓枠を挿入することにより、前記窓孔内の側壁に前記窓枠の突起を喰い付き固定させたことを特徴とする。
【００１１】
また、請求項２の発明に係わる時計用植え物の固定構造は、表示板に時計用植え物を固定する構造において、前記表示板には、貫通する複数の足孔を有しており、前記時計用植え物は、金属よりなる植字からなり、該植字は前記足孔の内形と略同形状の固定足を有し、且つ、略中央部に突起を有しており、前記表示板の足孔内に前記植字を挿入することにより、前記足孔内の側壁に前記植字の突起を喰い付き固定させたことを特徴とする。
【００１２】
また、請求項３の発明に係わる時計用植え物の固定構造は、請求項１または請求項２記載の時計用植え物の固定構造において、前記窓孔または前記足孔の孔径と、前記突起を含む前記固定足外径とのはめあい率（圧入率）が１０１％から１０５％の範囲であることを特徴とする。
【００１３】
また、請求項４の発明に係わる時計用植え物の固定構造は、請求項２記載の時計用植え物の固定構造において、前記植字は、５分間隔で取付けられている時字、または社名、商品名等を表すマークであることを特徴とする。
【００１４】
また、請求項５の発明に係わる時計用植え物の固定構造は、請求項１記載の時計用植え物の固定構造において、前記窓枠は、上方の外周に鍔部を有し、該鍔部の外形より前記固定足の突起外形が小さいことを特徴とする。
【００１５】
また、請求項６の発明に係わる時計用植え物の固定構造は、講求項１または請求項２記載の時計用植え物の固定構造において、前記表示板は、プラスチックまたは金属からなることを特徴とする。
【００１６】
【発明の実施の形態】
（第１の実施の形態）
図１、図２及び図３を用いて本発明における第１の実施の形態を説明する。図１は、本実施形態における時計用植え物としての時計用窓枠の固定構造を示す図面であり、図１（ａ）は、時計用表示板に窓枠を固定した状態を示す平面図、図１（ｂ）は、図１（ａ）におけるＣ−Ｃ断面の部分拡大図である。図２は、本実施形態における時計用植え物としての窓枠を示す図面であり、図２（ａ）は、窓枠の断面図、図２（ｂ）は、図２（ａ）における窓枠を矢印Ａ方向から見た平面図である。図３は、本実施形態における表示板を示す図面であり、図３（ａ）は、表示板の平面図、図３（ｂ）は、図３（ａ）におけるＤ−Ｄ断面図である。以下図を用いて詳細に説明する。
【００１７】
本実施形態における時計用窓枠の固定構造は、図１に示すように、プラスチック材からなる表示板１０に黄銅材よりなる窓枠１４を固定する構造で、前記表示板１０に貫通する窓孔１２を設け、前記窓枠１４には前記窓孔１２の内形と略同形状の固定足１６を設ける。また、該固定足１６の略中央部に一対の突起１７ａ、１７ｂを設け、前記表示板１０の窓孔１２内に前記窓枠１４の固定足１６を挿入することにより、前記窓孔１２内の側壁１２ａに前記窓枠１４の固定足１６に設ける突起１７ａ、１７ｂを喰い付き固定させたことを特徴とする。
【００１８】
本実施形態における前記窓枠１４は、黄銅材からなり、図２に示すように平面形状が長方形で、上方の外周に鍔部１５が形成され、該鍔部１５より小さい形状をなす固定足１６が下方に向かって形成され、前記窓枠１４の中央には同じく長方形の形状で貫通する窓部１３が形成されている。即ち前記固定足１６は、筒状で外形が長方形の形状をなしている。また、前記固定足１６の外形を形成する４個の辺の内で一方の対抗する２個の辺にそれぞれ突起１７ａ、１７ｂが形成されている。この突起１７ａ、１７ｂは、前記固定足１６の長さ方向の略中央で、且つ前記固定足１６を形成する前記２個の辺の略中央部に形成されている。更に、前記固定足１６の突起外形の値、即ち前記突起１７ａ、１７ｂを含む前記固定足外径ｄは、前記鍔部１５における一方の辺の長さである外径ｅの値より小さくなるように設定されている。
【００１９】
前記窓枠１４は、黄銅材からなる平板をプレス加工等により鍔部１５、固定足１６、及び一対の突起１７ａ、１７ｂを形成し、窓部１３を中抜きして形成し、最後に外形をプレス抜きして窓枠のブランクが製作される。その後、ダイヤカット等で表面仕上げを行い、最後にメッキ等の表面処理を行って前記窓枠１４が完成する。
【００２０】
前記表示板１０は、図３に示すように、前記表示板１０を貫通する窓孔１２が射出成形等によりあらかじめ設けられている。前記窓孔１２は、前記窓枠１４に設ける固定足１６の形状（辺ｋ×辺ｃ）より若干大きく、前記窓枠１４の鍔部１５の形状より小さい長方形の形状（辺ａ×辺ｂ）に設定されている。但し、前記窓孔１２における一方の辺の長さである孔径ａは、前記突起１７ａ、１７ｂを含む前記固定足外径ｄの値より僅かに小さい値に設定されている。この時の前記窓孔１２の孔径ａと、前記突起１７ａ、１７ｂを含む前記固定足外径ｄとのはめあい率（圧入率）Ｍ＝（ｄ／ａ）×１００の値は、１０１％〜１０５％の範囲に設定されている。
【００２１】
また、前記表示板１０と前記窓枠１４との固定方法は、前記表示板１０に設ける窓孔１２内に前記窓枠１４の固定足１６を挿入する。これによって、前記窓孔１２内の側壁１２ａに前記窓枠の固定足１６に設ける突起１７ａ、１７ｂが喰い付き固定され、表示板１０と窓枠１４とが固定される。
【００２２】
以上のように、本実施形態における時計用窓枠の固定構造によれば、固定力が安定し、落下衝撃により窓枠が表示板から外れることを防止することが出来る。以下に、本実施形態における固定構造について、温度ショック、落下テスト及び抜き力テスト等の評価試験を行ったが、所定の抜き力が得られ、落下衝撃による表示板から窓枠の外れは発生せず、固定力は、良好であった。
【００２３】
前記各評価試験の結果を以下に示す。
（１）温度ショック、及び落下テスト
恒温槽内に、温度−２０℃で１５分間保持した後、温度＋８０℃で１５分間保持して、その後、表示板をコンクリート面に落下させる落下テストを行った。落下テストは、テスト条件として表示板と窓枠とのはめあい率と、試料の落下高さを組み合わせ、各項目について、それぞれ５個の試料を用いて行った。評価試験の結果を以下の表１に示す。各項目の値は、試料５個に対する不良品の数を表している。
【表１】
0004503730.tif 000002
上記、表１に示すように、はめあい率が１０１％〜１０５％の範囲で固定力は安定した結果が得られた。これに対して、はめあい率が１０６％以上になると、落下衝撃によって窓枠が外れ易くなることがわかった。また、はめあい率が１０６％以上で表示板に窓枠を固定した場合は、表示板の表面に歪みが発生し表示板が外観不良となった。
【００２４】
（２）抜き力テスト
抜き力テストに用いた装置を図８に示す。試料台４８の上に、表示板１０の表側を当接させる。この時、窓枠１４が前記試料台４８に当たらないように試料台４８には貫通孔４９が設けられている。次に表示板１０の下面方向から、プッシュゲージ４０の端子４６を窓枠１４に当接させ、矢印Ａの方向に圧力をかけ、窓枠１４が外れる時の圧力をプッシュゲージ４０の目盛り４２と指針４４から読み取り、抜き力を測定した。試料は、はめあい率１０１％〜１０７％の範囲で１％毎に各５個とし、合計３５個として上記抜きテストを行った結果、全ての試料の抜き力について５００ｇ以上の値が得られた。この抜き力については５００ｇ以上の値があれば、表示板を時計に組み込み製品として市場に出荷しても窓枠が外れるというクレームが殆ど発生しないことが確認されている。
【００２５】
（第２の実施の形態）
図４、図５及び図６を用いて本発明における第２の実施の形態を説明する。図４は、本実施形態における時計用植え物としての植字、詳しくは時計用時字の固定構造を示す図面であり、図４（ａ）は、時計用表示板に時字を固定した状態を示す平面図、図４（ｂ）は、図４（ａ）におけるＦ−Ｆ断面の部分拡大図である。図５は、本実施形態における時計用表示板を示す平面図ある。図６は、表示板に時字を挿入する前の状態を示す拡大断面図であり、図６（ａ）は、前記時字の断面図、図６（ｂ）は図５における表示板のＧ−Ｇ断面を示す部分拡大図である。
【００２６】
第２の実施形態における時計用時字の固定構造は、図４（ｂ）に示すように、プラスチック材からなる表示板２０に黄銅材よりなる時字２４を固定する構造で、前記表示板２０には貫通する二つの足孔２２、２３が設けられ、前記時字２４には前記足孔２２、２３の内形と略同形状の固定足２６ａ、２６ｂが設けられている。また、該固定足２６ａ、２６ｂの長さ方向の略中央部にそれぞれ突起２７ａ、２７ｂが設けられ、前記表示板２０の足孔２２、２３内に前記時字２４の固定足２６ａ、２６ｂをそれぞれ挿入することにより、前記足孔２２、２３内の側壁２２ａ、２３ａに前記時字２４の固定足２６ａ、２６ｂに設ける突起２７ａ、２７ｂをそれぞれ喰い付き固定させたことを特徴とする。
【００２７】
本実施形態における前記時字２４は、時刻を表示するために図４（ａ）に示すように、前記表示板２０の表側外周付近に沿って５分間隔で１２個均等に取り付けられている。それぞれの時字２４は、黄銅材からなり、図４に示すように直方体の形状をなし、前記時字２４の下面から下方に向かって円柱形状をなす固定足２６ａ、２６ｂが形成されていて、前記固定足２６ａ、２６ｂの長さ方向の略中央部にそれぞれ突起２７ａ、２７ｂが形成されている。
【００２８】
また、前記時字２４は、黄銅材からなる帯材をプレス加工等により固定足２６ａ、２６ｂ、及び突起２７ａ、２７ｂを形成し、時字２４のブランクが製作される。その後、ダイヤカット等で表面仕上げを行い、最後にメッキ等の表面処理を行って前記時字２４が完成する。
【００２９】
前記表示板２０には、図５に示すように、前記表示板２０を貫通する足孔２２、２３を一組として、前記表示板２０の表面外周付近に沿って５分間隔で１２組の足孔が設けられている。前記足孔２２、２３は、前記時字２４の固定足２６ａ、２６ｂに対応し、前記足孔２２と足孔２３との距離が、前記固定足２６ａと固定足２６ｂとの距離に等しくなるように形成されている。また、図６（ｂ）に示す前記足孔２２、２３の孔径ｈは、図６（ａ）に示す前記時字２４に設ける突起２７ａ、２７ｂ含む前記固定足外径ｇの値より僅かに小さい値に設定されている。この時の前記足孔２２、２３の孔径ｈと、前記突起２７ａ、２７ｂを含む前記固定足外径ｇとのはめあい率（圧入率）Ｎ＝（ｇ／ｈ）×１００の値は、１０１％〜１０５％の範囲に設定されている。
【００３０】
また、前記表示板２０と前記時字２４との固定方法は、前記表示板２０に設ける足孔２２、２３内に前記時字２４の固定足２６ａ、２６ｂをそれぞれ挿入する。これによって、前記足孔２２、２３内の側壁２２ａ、２３ａに前記窓枠の固定足２６ａ、２６ｂに設ける突起２７ａ、２７ｂがそれぞれ喰い付き固定され、前記表示板２０と時字２４とが固定される。
【００３１】
以上のように、本実施形態における時計用時字の固定構造よれば、固定力が安定し、落下衝撃により時字が表示板から外れることを防止することが出来る。なお、本実施形態における固定構造について、温度ショック、落下テスト及び抜き力テスト等の評価試験を行ったが、所定の抜き力が得られ、落下衝撃によって表示板から窓枠の外れは発生せず、固定力は、良好であった。なお、前記各評価試験の結果については、第１の実施形態で記述した内容とほぼ同様であるため、ここでは省略する。
尚、上記第２の実施形態において、固定足に突起を１つ設けたが、突起を複数個設けたり、全周にわたって鍔状の突起としても良く、はめあい率が１０１％〜１０５％の範囲であれば更に時計用植字を安定して固定力をアップさせることが可能となる。
（第３の実施の形態）
図７を用いて本発明における第３の実施の形態を説明する。第３の実施の形態は、金属材料からなる時計用表示板に金属材料からなる窓枠を固定した例である。図７は、本実施形態における時計用窓枠の固定構造を示す図面であり、図７（ａ）は、時計用表示板に窓枠を固定した状態を示す平面図、図７（ｂ）は、図７（ａ）におけるＨ−Ｈ断面の部分拡大図である。以下図を用いて詳細に説明する。
【００３２】
本実施形態における時計用窓枠の固定構造は、図７に示すように、黄銅材からなる表示板３０に黄銅材よりなる窓枠３４を固定する構造で、前記表示板３０に貫通する窓孔３２を設け、前記窓枠３４には前記窓孔３２の内形と略同形状の固定足３６を設ける。また、該固定足３６の略中央部に一対の突起３７ａ、３７ｂを設け、前記表示板３０の窓孔３２内に前記窓枠３４の固定足３６を挿入することにより、前記窓孔３２内の側壁３２ａに前記窓枠３４の固定足３６に設ける突起３７ａ、３７ｂを喰い付き固定させたことを特徴とする。
【００３３】
本実施形態における前記窓枠３４は、黄銅材からなり、平面形状が長方形で、上方の外周に鍔部３５が形成され、該鍔部３５より小さい形状をなす固定足３６が下方に向かって形成され、前記窓枠３４の中央には同じく長方形の形状で貫通する窓部３８が形成されている。即ち前記固定足３６は、筒状で外形が長方形の形状をなしている。また、前記固定足３６の外形を形成する４個の辺の内で一方の対抗する２個の辺にそれぞれ突起３７ａ、３７ｂが形成されている。この突起３７ａ、３７ｂは、前記固定足３６の長さ方向の略中央で、且つ前記固定足３６を形成する前記２個の辺の略中央部に形成されている。更に、前記固定足３６の突起外形の値、即ち前記突起３７ａ、３７ｂを含む前記固定足外径ｄは、前記鍔部３５における一方の辺の長さである外径ｅの値より小さくなるように設定されている。
【００３４】
前記表示板３０は、前記表示板３０を貫通する窓孔３２がプレス加工等によりあらかじめ設けられている。前記窓孔３２は、前記窓枠３４に設ける固定足３６の外形形状より若干大きく、前記窓枠３４の鍔部３５の外形形状より小さい長方形の形状に設定されている。但し、前記窓孔３２における一方の辺の長さである孔径ａは、前記突起３７ａ、３７ｂを含む前記固定足外径ｄの値より僅かに小さい値に設定されている。この時の前記窓孔３２の孔径ａと、前記突起３７ａ、３７ｂを含む前記固定足外径ｄとのはめあい率（圧入率）Ｍ＝（ｄ／ａ）×１００の値は、１０１％〜１０５％の範囲に設定されている。
【００３５】
また、前記表示板３０と前記窓枠３４との固定方法は、前記表示板３０に設ける窓孔３２内に前記窓枠３４の固定足３６を挿入する。これによって、前記窓孔３２内の側壁３２ａに前記窓枠の固定足３６に設ける突起３７ａ、３７ｂが喰い付き固定され、表示板３０と窓枠３４とが固定される。
【００３６】
以上のように、本実施形態における時計用窓枠の固定構造によれば、固定力が安定し、落下衝撃により窓枠が表示板から外れることを防止することが出来、第１の実施形態と同様の効果を得ることができる。
【００３７】
上記実施形態においては、表示板に固定する植え物として窓枠と時字を例として記載したが、その他、マーク等の種々の植え物についても本発明による時計用植え物の固定構造を使用することが出来る。
尚、上記実施形態１及び３において、窓枠の固定足に突起を一対設けたが、窓枠が大きくなり重さが重くなった場合は、固定力を上げるためもう一対（窓枠の固定足の１２時と６時方向の辺に）設けても良い。この時のはめあい率は、同様に１０１％から１０５％の範囲とする。
【００３８】
【発明の効果】
以上述べたように本発明による時計用植え物の固定構造によれば、固定力が安定し、落下衝撃により窓枠が表示板から外れることを防止することが出来るとともに、組み立て作業が極めて容易となり作業性が向上する。また、表示板の下面に突起部が形成されないため表示板の厚さを薄くすることができ、時計の薄型化が可能となる。更に、かしめ固定に比較すると突起を食い付き固定させる時に発生する応力が小さいため表示板の表面にユガミ等の発生はない。特にプラスチック材からなる表示板においては、顕著な効果を有し、表示板の外観品質が向上するとともに時計の外観品質も向上する。
【図面の簡単な説明】
【図１】本発明の第１の実施形態における時計用窓枠の固定構造を示す平面図、及び部分拡大断面図である。
【図２】本発明の第１の実施形態における時計用窓枠の平面図、及び断面図である。
【図３】本発明の第１の実施形態における時計用表示板を示す平面図、及び断面図である。
【図４】本発明の第２の実施形態における時計用時字の固定構造を示す平面図、及び部分拡大断面図である。
【図５】本発明の第２の実施形態における時計用表示板を示す平面図、及び断面図である。
【図６】本発明の第２の実施形態における時字と表示板との部分拡大断面図ある。
【図７】本発明の第３の実施形態における時計用窓枠の固定構造を示す平面図、及び部分拡大断面図である。
【図８】本発明の実施形態における植え物の抜き力テストを行うための装置を示す図である。
【図９】第１の従来技術における時計用窓枠の固定構造を示す平面図、及び部分拡大断面図である。
【図１０】第２の従来技術における時計用窓枠の固定構造を示す平面図、及び部分拡大断面図である。
【図１１】第３の従来技術における時計用窓枠の固定構造を示す平面図、及び部分拡大断面図である。
【符号の説明】
１０  表示板
１２  表示板の窓孔
１２ａ  窓孔の側壁
１４  窓枠
１５  窓枠の鍔部
１６  固定足
１７ａ、１７ｂ  固定足の突起
１８  窓枠の窓部
２０  表示板
２２、２３  表示板の足孔
２２ａ、２３ａ  足孔の側壁
２４  時字
２６ａ、２６ｂ  固定足
２７ａ、２７ｂ  固定足の突起
３０  表示板
３２  表示板の窓孔
３２ａ  窓孔の側壁
３４  窓枠
３５  窓枠の鍔部
３６  固定足
３７ａ、３７ｂ  固定足の突起
３８  窓枠の窓部
【図１】
0004503730.tif 000003
【図２】
0004503730.tif 000004
【図３】
0004503730.tif 000005
【図４】
0004503730.tif 000006
【図５】
0004503730.tif 000007
【図６】
0004503730.tif 000008
【図７】
0004503730.tif 000009
【図８】
0004503730.tif 000010
【図９】
0004503730.tif 000011
【図１０】
0004503730.tif 000012
【図１１】
0004503730.tif 000013